(57)【要約】【課題】乳幼児を使用者の側方で安全に支持することができるベビーキャリアを提供する。【解決手段】ベビーキャリア１は、乳幼児の股部及び腹部にあてがわれ、乳幼児を支持する本体２と、本体２の上端部２ｃにおける幅方向の一対の端部２ｅに取り付けられ、使用者の肩に掛けられる肩ベルト３と、本体２の下端部２ｄに取り付けられ、使用者の腰に掛けられる腰ベルト４と、本体２に取り付けられ、使用者の体において肩ベルト３と腰ベルト４との間に掛けられる中央ベルト５と、を備える。【選択図】図１
0003215819.tif 000002
【実用新案登録請求の範囲】
【請求項１】
乳幼児の股部及び腹部にあてがわれ、前記乳幼児を支持する本体と、
前記本体の上端部における幅方向の一対の端部に取り付けられ、使用者の肩に掛けられる肩ベルトと、
前記本体の下端部に取り付けられ、前記使用者の腰に掛けられる腰ベルトと、
前記本体に取り付けられ、前記使用者の体において前記肩ベルトと前記腰ベルトとの間に掛けられる中央ベルトと、を備える、ベビーキャリア。
【請求項２】
前記本体は、前記乳幼児の体にあてがわれる内面と、前記内面の反対面である外面と、を有しており、
前記中央ベルトは、前記外面に取り付けられている、請求項１に記載のベビーキャリア。
【請求項３】
前記中央ベルトは、前記一対の端部において、前記肩ベルトよりも前記幅方向の内側に取り付けられている、請求項２に記載のベビーキャリア。
【請求項４】
前記上端部は、前記幅方向の中央部に向かうほど、前記下端部から離れるように湾曲している、請求項１〜３のいずれか一項に記載のベビーキャリア。
【請求項５】
前記中央ベルトは、前記一対の端部から斜め下方に延びるように、前記上端部に沿って前記一対の端部に取り付けられている、請求項４に記載のベビーキャリア。
【請求項６】
前記腰ベルトは、前記下端部に取り付けられた部分に配置された芯材を有している、請求項１〜５のいずれか一項に記載のベビーキャリア。
【考案の詳細な説明】
【技術分野】
【０００１】
本考案は、乳幼児を抱っこするためのベビーキャリアに関する。
【背景技術】
【０００２】
例えば、特許文献１には、乳幼児の腹側にあてがわれる本体と、本体の上部と本体の側部とを接続し、使用者の肩に掛けられる一対の肩ベルトと、本体の下部に取り付けられた腰ベルトと、を備えるベビーキャリアが記載されている。このようなベビーキャリアによれば、使用者は、自分の手で乳幼児を支えなくても、安定して乳幼児を抱っこすることができる。これにより、使用者は、自分の両手を自由に使うことができる。
【先行技術文献】
【特許文献】
【０００３】
【特許文献１】特開２０１３−２１２２９５号公報
【考案の概要】
【考案が解決しようとする課題】
【０００４】
しかしながら、上述のようなベビーキャリアは、乳幼児を使用者の前方で支持しているため、例えば使用者が飲食し難いという問題がある。乳幼児を使用者の後方で支持することも考えられるが、この場合は、使用者が乳幼児の様子を確認し難いという問題がある。そこで、乳幼児を使用者の側方で安全に支持することができるベビーキャリアが求められている。
【０００５】
本考案は、乳幼児を使用者の側方で安全に支持することができるベビーキャリアを提供する。
【課題を解決するための手段】
【０００６】
本考案に係るベビーキャリアは、乳幼児の股部及び腹部にあてがわれ、乳幼児を支持する本体と、本体の上端部における幅方向の一対の端部に取り付けられ、使用者の肩に掛けられる肩ベルトと、本体の下端部に取り付けられ、使用者の腰に掛けられる腰ベルトと、本体に取り付けられ、使用者の体において肩ベルトと腰ベルトとの間に掛けられる中央ベルトと、を備える。
【０００７】
本考案に係るベビーキャリアでは、肩ベルトが本体の上端部における幅方向の一対の端部に取り付けられている。したがって、使用者は肩ベルトを自分の一方の肩に斜め掛けし、本体を自分の側方に配置した状態とすることができる。本体の下端部には腰ベルトが取り付けられているので、使用者は乳幼児の体重を腰で支えることができる。肩ベルト及び腰ベルトに加えて、中央ベルトが使用者の肩と腰との間に掛けられるので、乳幼児の体を使用者の体に密着させることができる。これにより、乳幼児を使用者の側方で安定して支持することができる。
【０００８】
このベビーキャリアでは、本体は、乳幼児の体にあてがわれる内面と、内面の反対面である外面と、を有しており、中央ベルトは、外面に取り付けられていてもよい。この場合、中央ベルトが本体の外面に取り付けられているので、本体を乳幼児の体に密着させることができる。
【０００９】
このベビーキャリアでは、中央ベルトは、一対の端部において、肩ベルトよりも幅方向の内側に取り付けられていてもよい。この場合、本体を乳幼児の体により密着させることができる。
【００１０】
このベビーキャリアでは、上端部は、幅方向の中央部に向かうほど、下端部から離れるように湾曲していてもよい。この場合、本体を幅方向の中央部で乳幼児の腹部だけでなく胸部にもあてがうことができる。したがって、乳幼児の姿勢が安定する。
【００１１】
このベビーキャリアでは、中央ベルトは、一対の端部から斜め下方に延びるように、上端部に沿って一対の端部に取り付けられてもよい。この場合、中央ベルトは、本体の上端部全体を乳幼児の体に密着させることができる。
【００１２】
このベビーキャリアでは、腰ベルトは、下端部に取り付けられた部分に配置された芯材を有していてもよい。この場合、腰ベルトにおいて、本体の下端部に取り付けられた部分は、乳幼児が動いても、変形し難く、使用者の腰に密着した状態に維持され易い。これにより、乳幼児を更に安全に支持することができる。
【考案の効果】
【００１３】
本考案によれば、乳幼児を使用者の側方で安全に支持することができる。
【図面の簡単な説明】
【００１４】
【図１】実施形態に係るベビーキャリアの正面図である。
【図２】図１に示されるベビーキャリアを反対側から見た正面図である。
【図３】図１に示されるベビーキャリアの使用状態を示す図である。
【考案を実施するための形態】
【００１５】
以下、図面を参照して、実施形態について詳細に説明する。なお、図面中の同一又は相当部分には同一符号を付すこととする。
【００１６】
図１は、実施形態に係るベビーキャリアの正面図である。図２は、図１に示されるベビーキャリアを反対側から見た正面図である。図３は、図１に示されるベビーキャリアの使用状態を示す図である。図１〜図３に示されるように、実施形態に係るベビーキャリア１は、乳幼児Ｃを抱っこするために用いられる。ベビーキャリア１は、特に、乳幼児Ｃ（例えば０歳以上３歳以下）を使用者Ｕの側方で抱っこするために用いられる。なお、使用者Ｕの側方には、使用者Ｕの真横の方向に限らず、使用者Ｕの斜め前方及び斜め後方が含まれる。
【００１７】
ベビーキャリア１は、本体２と、肩ベルト３と、腰ベルト４と、一対の中央ベルト５と、一対の内ベルト６と、を備えている。
【００１８】
本体２は、乳幼児Ｃの股部及び腹部にあてがわれ、乳幼児Ｃを支持する。本体２は、柔軟性を有する布地で形成されている。本体２は、外面２ａと、内面２ｂと、を有している。外面２ａは、外方を向く面であり、内面２ｂの反対面（裏面）である。内面２ｂは、乳幼児Ｃの体にあてがわれる面である。本体２は、上端部２ｃの幅が下端部２ｄの幅よりも広い略台形状を呈している。上端部２ｃの幅は、例えば下端部２ｄの幅の２倍以上３倍以下である。上端部２ｃの幅は、例えば３６ｃｍである。下端部２ｄの幅は、例えば１３ｃｍである。
【００１９】
上端部２ｃは、上に凸となるように湾曲している。換言すると、上端部２ｃは、幅方向の中央部に向かうほど、下端部２ｄから離れるように湾曲している。本体２の上下方向の長さ（上下方向において上端部２ｃと下端部２ｄがなす距離）は、幅方向の中央部で最も長く、例えば３４ｃｍである。上端部２ｃの幅方向における一対の端部２ｅと、下端部２ｄを横方向に延長した仮想線とが上下方向においてなす距離は、例えば２８ｃｍである。
【００２０】
肩ベルト３は、一対の端部２ｅに取り付けられ、使用者Ｕの肩に掛けられるベルトである。肩ベルト３は、一対の端部２ｅから上方に延び、使用者Ｕの肩に掛けられる。肩ベルト３の一対の端部３ａは、一対の端部２ｅに取り付けられている。肩ベルト３の一対の端部３ａは、本体２の内面２ｂ上に配置された状態で、内面２ｂに取り付けられている。
【００２１】
肩ベルト３は、肩当てパッド７と、一対の接続ベルト８と、を有している。肩当てパッド７は、クッション性を有する長尺状の部材であり、使用者Ｕの肩に当てられる。肩当てパッド７の長さは、例えば３８ｃｍである。肩当てパッド７の幅は、例えば７ｃｍである。接続ベルト８は、肩当てパッド７の端部と端部２ｅとを互いに接続している。接続ベルト８の端部は、肩当てパッド７の端部と端部２ｅとに取り付けられている。接続ベルト８の端部は、肩当てパッド７の端部と端部２ｅとに縫製により縫い合わされている。接続ベルト８の端部は、肩ベルト３の端部３ａを構成している。接続ベルト８は、例えばアジャスター等の長さ調整部（不図示）を有している。これにより、接続ベルト８（つまり、肩ベルト３）の長さの調整が可能である。接続ベルト８の幅は、肩当てパッド７の幅よりも狭い。接続ベルト８の幅は、例えば４ｃｍである。
【００２２】
腰ベルト４は、本体２の下端部２ｄに取り付けられ、使用者Ｕの腰に掛けられるベルトである。腰ベルト４は、本体２の下端部２ｄに沿って延びるように、下端部２ｄに取り付けられている。腰ベルト４の一対の端部４ａは、例えばバックル等の接続部材によって、互いに接続可能に構成されている。
【００２３】
腰ベルト４は、腰当てパッド９と、一対の接続ベルト１０と、芯材１１と、を有している。腰当てパッド９は、クッション性を有する長尺状の部材であり、使用者Ｕの腰に当てられる。腰当てパッド９の長さは、例えば４２ｃｍである。腰当てパッド９の幅は、長さ方向の中央部で最も広く、例えば９ｃｍである。腰当てパッド９の幅は、長さ方向の両端部で最も狭く、例えば４ｃｍである。腰当てパッド９では、長さ方向の中央部が本体２の下端部２ｄに取り付けられている。腰当てパッド９では、幅方向の上端部が本体２の下端部２ｄに取り付けられている。腰当てパッド９は、本体２の外面２ａから連続する外面９ａと、本体２の内面２ｂから連続する内面９ｂと、を有している。
【００２４】
接続ベルト１０の一端部は、腰当てパッド９の端部に取り付けられている。接続ベルト１０は、腰当てパッド９の端部に縫製により縫い合わされている。接続ベルト１０の他端部は、腰ベルト４の端部４ａを構成している。接続ベルト１０は、例えばアジャスター等の長さ調整部（不図示）を有している。これにより、接続ベルト１０（つまり、腰ベルト４）の長さの調整が可能である。接続ベルト１０の幅は、腰当てパッド９の幅よりも狭い。接続ベルト１０の幅は、接続ベルト８の幅と同等であり、例えば４ｃｍである。
【００２５】
芯材１１は、腰当てパッド９の内部に配置されている。芯材１１は、例えばポリエチレン等の樹脂板である。芯材１１は、腰当てパッド９の長さ方向の中央部において、腰当てパッド９の幅方向の全体にわたって設けられている。芯材１１は、例えば長さ２０ｃｍ、幅９ｃｍの長方形状を呈している。上述のように、腰ベルト４は、腰当てパッド９の中央部で本体２の下端部２ｄに取り付けられていることから、芯材１１は、腰ベルト４において、下端部２ｄに取り付けられた部分に配置されていると言える。
【００２６】
一対の中央ベルト５は、本体２に取り付けられ、使用者Ｕの体において肩ベルト３と腰ベルト４との間に掛けられるベルトである。中央ベルト５は、例えば、使用者Ｕの腰から脇までの間に掛けられる。中央ベルト５は、外面２ａに取り付けられている。中央ベルト５の一端部５ａは、一対の端部２ｅに取り付けられている。中央ベルト５の一端部５ａは、本体２の外面２ａ上に配置され、外面２ａに取り付けられている。一対の端部２ｅにおいて、中央ベルト５及び肩ベルト３は、本体２を挟んで互いに対向するように配置されている。
【００２７】
中央ベルト５は、一対の端部２ｅにおいて、肩ベルト３よりも幅方向の内側に取り付けられている。上述のように、上端部２ｃは、上に凸となるように湾曲している。上端部２ｃは、幅方向の中央から端に向かって斜め下方に延びている。中央ベルト５は、一対の端部２ｅから斜め下方に延びるように、上端部２ｃに沿って一対の端部２ｅに取り付けられている。中央ベルト５は、一対の端部２ｅにおいて、上端部２ｃに沿って配置されている。
【００２８】
中央ベルト５の他端部５ｂ同士は、例えばバックル等の接続部材によって、互いに接続可能に構成されている。中央ベルト５は、例えばアジャスター等の長さ調整部（不図示）を有している。これにより、中央ベルト５の長さの調整が可能である。したがって、中央ベルト５を使用者Ｕの体に密着させることができると共に、本体２を使用者Ｕの体に向かって引き寄せ、乳幼児Ｃを使用者Ｕの体に密着させることができる。中央ベルト５の幅は、接続ベルト８及び接続ベルト１０の幅よりも狭く、例えば２．５ｃｍである。
【００２９】
一対の内ベルト６は、本体２に取り付けられ、乳幼児Ｃの体に掛けられるベルトである。一対の内ベルト６は、本体２の内面２ｂに取り付けられている。一対の内ベルト６は、乳幼児Ｃの脇の下から脚までの間に掛けられる。一対の内ベルト６は、例えば、乳幼児Ｃの腰に掛けられる。内ベルト６の一端部（不図示）は、本体２の上端部２ｃにおける幅方向の一対の端部２ｅに取り付けられている。内ベルト６の一端部は、本体２の内面２ｂと、肩ベルト３の端部３ａとの間に挟み込まれた状態で、縫製により一対の端部２ｅに縫い合わされている。
【００３０】
内ベルト６の他端部６ａ同士は、例えばバックル等の接続部材によって、互いに接続可能に構成されている。内ベルト６は、例えばアジャスター等の長さ調整部（不図示）を有している。これにより、内ベルト６の長さの調整が可能である。したがって、内ベルト６を乳幼児Ｃの体に密着させ、乳幼児Ｃの転落等を防止することができる。内ベルト６の幅は、中央ベルト５の幅と同等であり、例えば２．５ｃｍである。内ベルト６によれば、乳幼児用品の安全性を担保する安全基準を満たすことができる。
【００３１】
次に、ベビーキャリア１の使用方法の一例について説明する。まず、使用者Ｕは、本体２の内面２ｂを乳幼児Ｃの腹部側と対向させた状態で、一対の内ベルト６を乳幼児Ｃの体に掛けて、他端部６ａ同士を互いに接続する。続いて、使用者Ｕは、肩ベルト３を自分の一方の肩に斜め掛けし、本体２と共に乳幼児Ｃを自分の側方に配置する。このとき、使用者Ｕは、乳幼児Ｃを一対の端部２ｅの間に配置する。
【００３２】
続いて、使用者Ｕは、腰ベルト４を自分の腰に掛けて、端部４ａ同士を互いに接続する。このとき、使用者Ｕは、腰当てパッド９の内面９ｂが乳幼児Ｃの股部にあてがわれると共に、腰当てパッド９の外面９ａが自分の腰にあてがわれるように、腰ベルト４を本体２との接続部分で折り返した状態とする。続いて、使用者Ｕは、中央ベルト５を自分の体において肩ベルト３と腰ベルト４との間に掛けて、他端部５ｂ同士を互いに接続する。使用者Ｕは、必要に応じて内ベルト６、肩ベルト３、腰ベルト４、及び中央ベルト５の長さを調節する。
【００３３】
以上説明したように、ベビーキャリア１では、肩ベルト３が本体２の上端部２ｃにおける幅方向の一対の端部２ｅに取り付けられている。したがって、使用者Ｕは肩ベルト３を自分の一方の肩に斜め掛けし、本体２を使用者Ｕの側方に配置した状態とすることができる。本体２の下端部２ｄには腰ベルト４が取り付けられているので、使用者Ｕは乳幼児Ｃの体重を腰で支えることができる。肩ベルト３及び腰ベルト４に加えて、中央ベルト５が使用者Ｕの肩と腰との間に掛けられるので、乳幼児Ｃの体を使用者Ｕの体に密着させることができる。これにより、乳幼児Ｃを使用者Ｕの側方で安定して支持することができる。
【００３４】
使用者Ｕの両手が自由な状態であったとしても、乳幼児Ｃが使用者Ｕの正面（前方）に存在していると、使用者Ｕが自由に飲食することは困難である。特に、熱い飲食物の場合、乳幼児Ｃに危険が及ぶおそれがある。ベビーキャリア１によれば、乳幼児Ｃを使用者Ｕの正面ではなく、側方で安全に支持することができるので、使用者Ｕが飲食を行い易い。また、乳幼児Ｃを一人でベビーカー又は子供用椅子に座らせると、乳幼児Ｃが泣いてしまう場合がある。このような場合でも、ベビーキャリア１によれば、乳幼児Ｃが使用者Ｕと密着した状態に保たれるので、乳幼児Ｃに対して安心感を与え、泣き止ませることができる。加えて、例えば使用者Ｕが乳幼児Ｃをおんぶし、乳幼児Ｃを使用者Ｕの後方で支持する場合に比べて、使用者Ｕが乳幼児Ｃの様子を容易に確認することができる。
【００３５】
ベビーキャリア１では、中央ベルト５は、本体２の外面２ａに取り付けられている。このため、中央ベルト５が本体２の内面２ｂに取り付けられている場合に比べて、本体２を乳幼児Ｃの体に向かって引き寄せ、乳幼児Ｃの体に密着させることができる。したがって、乳幼児Ｃの姿勢が安定する。
【００３６】
中央ベルト５は、一対の端部２ｅにおいて、肩ベルト３よりも幅方向の内側に取り付けられている。このため、本体２を乳幼児Ｃの体に向かって更に引き寄せ、乳幼児Ｃの体により密着させることができる。したがって、乳幼児Ｃの姿勢がより安定する。
【００３７】
ベビーキャリア１では、上端部２ｃは、幅方向の中央部に向かうほど、下端部２ｄから離れるように湾曲している。このため、本体２を幅方向の中央部で乳幼児Ｃの腹部だけでなく胸部にもあてがうことができる。したがって、乳幼児Ｃの姿勢が安定する。上端部２ｃが湾曲していることにより、上端部２ｃの一対の端部２ｅの位置が下がるので、乳幼児Ｃは、自分の手を本体２の外に出し、自由に動かすことができる。このため、手が自由に動かせない場合に比べて、乳幼児Ｃを退屈させ難い。
【００３８】
仮に、中央ベルト５が本体２の一対の端部２ｅから真横に延びるように、一対の端部２ｅに取り付けられているとすると、上端部２ｃの幅方向の中央部には中央ベルト５の力が加わらず、この部分を乳幼児Ｃの体に密着させることができない。これに対し、ベビーキャリア１では、中央ベルト５が、本体２の一対の端部２ｅから斜め下方に延びるように、上端部２ｃに沿って一対の端部２ｅに取り付けられている。このため、上端部２ｃの幅方向の中央部にまで中央ベルト５の力が加わり易く、上端部２ｃの全体を乳幼児Ｃの体に密着させることができる。これにより、安全性が向上する。
【００３９】
ベビーキャリア１では、腰ベルト４は、下端部２ｄに取り付けられた部分に配置された芯材１１を有している。このため、腰ベルト４において、本体２の下端部２ｄに取り付けられた部分は、乳幼児Ｃが動いても、変形し難く、使用者Ｕの腰に密着した状態に維持され易い。したがって、例えば乳幼児Ｃが前のめりになっても、乳幼児Ｃの体重をベビーキャリア１により容易に支えることができる。これにより、乳幼児Ｃを更に安全に支持することができる。
【００４０】
本考案は上述した実施形態に限らず、様々な変形が可能である。
【００４１】
例えば、上記実施形態では、肩ベルト３は使用者Ｕの肩に掛けて用いられているが、肩ベルト３は、例えば使用者Ｕの首の後ろに掛けて用いられてもよい。この場合、乳幼児Ｃを使用者Ｕの前方で抱っこすることができる。腰ベルト４は、芯材１１を有していなくてもよい。この場合、ベビーキャリア１を小さく折り畳むことができる。ベビーキャリア１の腰ベルト４、及び中央ベルト５を使用者Ｕの体ではなく、椅子の背もたれに取り付けることで、ベビーキャリア１をチェアベルトとして用いることもできる。このとき、内ベルト６は、乳幼児Ｃの体に取り付けられる。また、肩ベルト３を椅子の背もたれに回し掛けることにより、肩ベルト３が邪魔にならず、ベビーキャリア１を安全に使用することができる。
【符号の説明】
【００４２】
１…ベビーキャリア、２…本体、２ａ…外面、２ｂ…内面、２ｃ…上端部、２ｄ…下端部、２ｅ…端部、３…肩ベルト、４…腰ベルト、５…中央ベルト、６…内ベルト、１１…芯材、Ｃ…乳幼児、Ｕ…使用者。
【図１】
0003215819.tif 000003
【図２】
0003215819.tif 000004
【図３】
0003215819.tif 000005